(57)【特許請求の範囲】
【請求項１】
目地部を介して設けられた左右の床躯体の目地部側部位に立設状態で取付けられた一対の支柱と、この一対の支柱の一方の支柱に後端部が所定間隔で固定された先端部が他方の支柱方向へ突出するチャンネル状の複数個の一方の横桟と、この複数個の一方の横桟と所定量重なるように先端部が当接する、前記一対の支柱の他方の支柱に後端部が固定された、該複数個の一方の横桟の上下突片間に突出する突片を有する複数個の他方の横桟と、この複数個の他方の横桟の先端部および前記複数個の一方の横桟の先端部に取付けられた、該他方の横桟と一方の横桟とが離れるのを阻止するホルダと、前記複数個の一方の横桟の先端部寄りの部位に取付けられた前記複数個の他方の横桟の突片上を転動する上部ローラーと、前記複数個の他方の横桟の先端部寄りの部位に取付けられた、前記複数個の一方の横桟の下突片上を転動する下部ローラーとからなることを特徴とする手摺。
【請求項２】
一方の支柱は左右の床躯体の目地部側部位の床面あるいは壁面に固定的あるいは水平方向に回転できるように取付けられていることを特徴とする請求項１記載の手摺。
【請求項３】
複数個の一方の横桟と複数個の他方の横桟の長さ寸法は、一対の支柱間の寸法の３分の２の長さであることを特徴とする請求項１記載の手摺。
【発明の詳細な説明】
【技術分野】
【０００１】
本発明は目地部を介して設けられた左右の床躯体間を地震で左右の床躯体が揺れ動いても、その揺れ動きを吸収することができるように覆う手摺に関する。
【背景技術】
【０００２】
従来、この種の手摺は目地部側の左右の床躯体に立設状態で取付けられた一対の支柱と、この一対の支柱の一方の支柱に所定間隔で後端部が固定された先端部が他方の支柱側へ突出する複数個の一方の横桟と、この一方の横桟の先端部と所定量重なり合う前記一対の支柱の他方の支柱に後端部が取付けられた複数個の他方の横桟と、この複数個の他方の横桟と前記複数個の一方の横桟とを密着一体化させる磁石とで構成されている。
【０００３】
このように構成された手摺は地震時の揺れ動き時に磁石の吸着力によって、その揺れ動きに応じてスムーズに複数個の一方の横桟と複数個の他方の横桟とをスライド移動させることができないとともに、磁石を取付ける凹部を形成した板状や半円弧状の横桟を用いるので、十分な強度が得られなかったり、コストが高くなるという欠点があった。
【先行技術文献】
【特許文献】
【０００４】
【特許文献１】特開２００１−２２０８７５号公報
【発明の概要】
【発明が解決しようとする課題】
【０００５】
本発明は以上のような従来の欠点に鑑み、地震時にスムーズにスライド移動するとともに、十分な強度が得られ、かつ低コストで製造することができる手摺を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた左右の床躯体の目地部側部位に立設状態で取付けられた一対の支柱と、この一対の支柱の一方の支柱に後端部が所定間隔で固定された先端部が他方の支柱方向へ突出するチャンネル状の複数個の一方の横桟と、この複数個の一方の横桟と所定量重なるように先端部が当接する、前記一対の支柱の他方の支柱に後端部が固定された、該複数個の一方の横桟の上下突片間に突出する突片を有する複数個の他方の横桟と、この複数個の他方の横桟の先端部および前記複数個の一方の横桟の先端部に取付けられた、該他方の横桟と一方の横桟とが離れるのを阻止するホルダと、前記複数個の一方の横桟の先端部寄りの部位に取付けられた前記複数個の他方の横桟の突片上を転動する上部ローラーと、前記複数個の他方の横桟の先端部寄りの部位に取付けられた、前記複数個の一方の横桟の下突片上を転動する下部ローラーとで手摺を構成している。
【発明の効果】
【０００８】
以上の説明から明らかなように、本発明にあっては次に列挙する効果が得られる。
（１）請求項１により、一方の横桟の先端部に取付けられた上部ローラーと他方の横桟の先端部に取付けられた下部ローラーとによって、地震時にスムーズに一方の横桟と他方の横桟とをスライド移動させることができる。
したがって、損傷するのを効率よく阻止することができる。
（２）前記（１）により、チャンネル状の一方の横桟と、この一方の横桟の上下突片間に位置する突片を有する他方の横桟を用いているので、上下左右方向に十分な強度が得られるとともに、平板と中央部の突片が見えるか、平板と上下突片が見えるかのいずれかであるため、見苦しさがなく、美観の向上を図ることができる。
（３）前記（１）により、構造が簡単で、容易に設置できるとともに、一方の横桟の先端部と他方の横桟の先端部に取付けられたホルダよって、一方の横桟と他方の横桟とが離れるのを確実に阻止することができる。
（４）請求項２も前記（１）〜（３）と同様な効果が得られる。
（５）請求項３も前記（１）〜（３）と同様な効果が得られるとともに、目地部の伸縮に最適な状態で伸縮させることができる。
【図面の簡単な説明】
【０００９】
【図１】本発明を実施するための第１の形態の正面図。
【図２】本発明を実施するための第１の形態の平面図。
【図３】本発明を実施するための第１の形態の支柱の説明図。
【図４】本発明を実施するための第１の形態の一方の横桟の説明図。
【図５】本発明を実施するための第１の形態の他方の横桟の説明図。
【図６】図１の６−６線に沿う断面図。
【図７】図１の７−７線に沿う断面図。
【図８】本発明を実施するための第１の形態の地震で目地部が狭くなった動作説明図。
【図９】本発明を実施するための第１の形態の地震で目地部が広くなった動作説明図。
【図１０】本発明を実施するための第１の形態の地震で左右の床躯体が異なる前後方向に揺れた状態の説明図。
【図１１】本発明を実施するための第２の形態の正面図。
【図１２】本発明を実施するための第２の形態の平面図。
【図１３】図１１の１３−１３線に沿う断面図。
【図１４】本発明を実施するための第３の形態の正面図。
【図１５】本発明を実施するための第３の形態の平面図。
【図１６】図１４の１６−１６線に沿う断面図。
【発明を実施するための形態】
【００１０】
以下、図面に示す本発明を実施するための形態により、本発明を詳細に説明する。
【００１１】
図１ないし図１０に示す本発明を実施するための第１の形態において、１は目地部２を介して設けられた左右の床躯体３、３の側部を伸縮可能に覆う本発明の手摺で、この手摺１は前記左右の床躯体３、３の目地部側の床面に立設状態で取付けられた一対の支柱４、４と、この一対の支柱４、４の一方の支柱４に後端部が所定間隔で溶接等で固定された先端部が他方の支柱４方向へ、前記目地部２の幅寸法の３分の２の寸法で突出する上下部に上下突片５、６を有するチャンネル状の複数個の一方の横桟７、７、７と、この複数個の一方の横桟７、７、７と所定量重なるように先端部が当接する、前記一対の支柱４、４の他方の支柱４に後端部が溶接等によって固定された、該複数個の一方の横桟７、７、７の上下突片５、６間に突出する突片８を有する、前記目地部２の幅寸法の３分の２の寸法の複数個の他方の横桟９、９、９と、この複数個の他方の横桟９、９、９の先端部および前記複数個の一方の横桟７、７、７の先端部に複数本のビス１０で固定された、該他方の横桟９、９、９と一方の横桟７、７、７とが離れるのを阻止するＬ字状のホルダ１１、１１と、前記複数個の一方の横桟７、７、７の先端部寄りの部位に取付けられた前記複数個の他方の横桟９、９、９の突片８、８、８上を転動する上部ローラー１２、１２、１２と、前記複数個の他方の横桟９、９、９の先端部寄りの部位に取付けられた、前記複数個の一方の横桟７、７、７の下突片６、６、６上を転動する下部ローラー１３、１３、１３とで構成されている。
【００１２】
前記一対の支柱４、４は下端部が左右の床躯体３、３の床面に複数本のアンカーボルト１４で固定された芯棒１５、１５と、この芯棒１５、１５を覆い、かつ回転自在に取付けられた前記複数個の一方の横桟７、７、７あるいは複数個の他方の横桟９、９、９が取付けられる四角筒状の支柱本体１６、１６とで構成されている。
【００１３】
上記構成の手摺１は、通常時には図１および図２に示すように一対の支柱４、４に複数個の一方の横桟７、７、７と複数個の他方の横桟９、９、９との先端部が重なった状態で配置されており、一方の横桟７、７、７の平坦な面と他方の横桟９、９、９の中央部の突片８とが見えたり、あるいは他方の横桟９、９、９の平坦な面と一方の横桟７、７、７の上下突片５、６とが見える状態であるため、見苦しくなることなく、美観の向上が図れる状態となっている。
【００１４】
地震で目地部２が狭くなったり、広くなるように揺れ動いた場合には、図８および図９に示すように複数個の他方の横桟９、９、９と複数個の一方の横桟７、７、７とは上部ローラー１２、１２、１２と下部ローラー１３、１３、１３とが他方の横桟９、９、９と一方の横桟７、７、７の下突片６、６、６上を転動してスムーズにスライド移動する。
【００１５】
この時、ホルダ１１、１１によって一方の横桟７、７、７と他方の横桟９、９、９とは離れることなく、スライド移動する。
【００１６】
地震で左右の床躯体３、３が異なる前後方向に揺れ動いた場合、図１０に示すように一対の支柱４、４の芯棒１５、１５に対して支柱本体１６、１６が回動して複数個の一方の横桟７、７、７と複数個の他方の横桟９、９、９とが一直線状態となるように回動して、その揺れ動きを吸収するとともに、この状態での伸縮も可能である。    
【００１７】
[発明を実施するための異なる形態]
次に、図１１ないし図１６に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１８】
図１１ないし図１３に示す本発明を実施するための第２の形態において、前記本発明を実施するための第１の形態と主に異なる点は、上下部に上下突片５、６を有する半円形状の複数個の一方の横桟７Ａ、７Ａ、７Ａと、中央部に突片８を有する半円形状の複数個の他方の横桟９Ａ、９Ａ、９Ａを用いるとともに、円筒形状の支柱本体１６Ａ、１６Ａを用いた一対の支柱４Ａ、４Ａを用いた点で、このような一方の横桟７Ａ、７Ａ、７Ａと他方の横桟９Ａ、９Ａ、９Ａおよび一対の支柱４Ａ、４Ａを用いて構成した手摺１Ａにしても、前記本発明を実施するための第１の形態と同様な作用効果が得られる。
【００１９】
図１４ないし図１６に示す本発明を実施するための第３の形態において、前記本発明を実施するための第１の形態と主に異なる点は、円形状の柱を一対の支柱４Ｂ、４Ｂに用いるとともに、該一対の支柱４Ｂ、４Ｂを回転可能に支持するとともに、目地部側の壁面１７、１７に複数個のタッピングビス１８で固定できる取付け金具１９、１９、１９、１９を用いた点で、このように一対の支柱４Ｂ、４Ｂを壁面１７、１７に取付けた手摺１Ｂにしても、前記本発明を実施するための第１の形態と同様な作用効果が得られる。
【００２０】
なお、前記本発明の各実施の形態では一対の支柱４、４、４Ａ、４Ａ、４Ｂ、４Ｂが回転するものについて説明したが、本発明はこれに限らず一対の支柱４、４、４Ａ、４Ａ、４Ｂ、４Ｂを目地部側の床面や壁面に固定的に取付けたものであってもよい。  
【産業上の利用可能性】
【００２１】
本発明は目地部を介して設けられた床躯体間を覆う手摺を製造する産業で利用される。
【符号の説明】
【００２２】
１、１Ａ、１Ｂ：手摺、    ２：目地部、
３：床躯体、        ４、４Ａ、４Ｂ：支柱、
５：上突片、        ６：下突片、
７、７Ａ：一方の横桟、    ８：突片、
９、９Ａ：他方の横桟、    １０：ビス、
１１：ホルダ、      １２：上部ローラー、
１３：下部ローラー、    １４：アンカーボルト、
１５：芯棒、        １６、１６Ａ：支柱本体、
１７：壁面、        １８：タッピングビス、
１９：取付け金具。
【図１】
0005491353.tif 000002
【図２】
0005491353.tif 000003
【図３】
0005491353.tif 000004
【図４】
0005491353.tif 000005
【図５】
0005491353.tif 000006
【図６】
0005491353.tif 000007
【図７】
0005491353.tif 000008
【図８】
0005491353.tif 000009
【図９】
0005491353.tif 000010
【図１０】
0005491353.tif 000011
【図１１】
0005491353.tif 000012
【図１２】
0005491353.tif 000013
【図１３】
0005491353.tif 000014
【図１４】
0005491353.tif 000015
【図１５】
0005491353.tif 000016
【図１６】
0005491353.tif 000017